(57)【要約】【課題】被写体のサイズを低コストで高分解能且つ高精度に判定可能であると共に、消費電力を低減可能であり、光源の点灯時における使用者のまぶしさを軽減可能な原稿サイズ判定技術を提供する。【解決手段】原稿読取装置に設けられた原稿を照明するためのＬＥＤ光源アレイに含まれるＬＥＤ素子をブロック毎に点灯可能にし、当該ＬＥＤ光源アレイと、原稿の画像を読み取るための受光素子とを利用して、画像形成装置は、主走査方向の原稿の有無を検知し、一方、副走査方向の原稿の有無については反射型センサを利用して検知して、ＬＥＤ光源アレイの各ブロックの点灯の順番を制御する。そして、画像形成装置は、主走査方向の検知結果と、副走査方向の検知結果とに応じて、原稿サイズを判定する。【選択図】図７
2010226690.tif 000002
【特許請求の範囲】
【請求項１】
被写体が載置される原稿台と、
主走査方向に複数の点光源素子を配列した点光源アレイ照明と、
前記点光源アレイ照明の前記点光源素子の全部又は一部を点灯させる手段であって、複数の前記点光源素子が各ブロックに分割されたブロック毎に前記点光源アレイ照明を点灯可能である光源制御手段と、
前記点光源アレイ照明を走行体で支持し前記原稿台に載置された被写体と相対的に移動させる移動手段と、
前記光源制御手段が前記点光源アレイ照明を点灯させることにより照明された被写体の反射光を受光するイメージセンサと、
発光素子と受光素子とを有し、前記発光素子の発光により照明された被写体の反射光を前記受光素子が受光することにより、副走査方向の被写体の有無を検知する検知手段とを備え、
前記光源制御手段は、
前記点光源アレイ照明の前記ブロックのうち、点灯させるブロックの順番を制御する制御手段と、
前記点光源アレイ照明の点灯により照明された被写体からの反射光を前記イメージセンサが受光したか否かで主走査方向の被写体の有無を検知し、当該検知結果と、前記検知手段の検知結果とに応じて、前記被写体のサイズを判定する判定手段とを有する
ことを特徴とする原稿読取装置。
【請求項２】
前記制御手段は、前記検知手段が副走査方向の被写体の有無を検知した後、前記点光源アレイ照明のブロックのうち検知に用いるブロックについて、点灯させるブロックの順番を制御する
ことを特徴とする請求項１に記載の原稿読取装置。
【請求項３】
各前記ブロックは、原稿の有無を検知する位置であって各々異なる検知位置に対応しており、
前記制御手段は、前記検知位置で原稿の有無を検知する順番に合わせて、点灯させるブロックの順番を制御する
ことを特徴とする請求項１又は２に記載の原稿読取装置。
【請求項４】
前記順番は、予め設定されており、
前記制御手段は、順番に従って、前記点光源アレイの前記ブロックを点灯させ、当該点灯により照明された被写体からの反射光を前記イメージセンサが受光していない場合、当該ブロックを消灯させると共に、当該ブロックとは異なる次の順番の前記ブロックを点灯させる処理を繰り返し行い、前記被写体からの反射光を前記イメージセンサが受光した場合、前記処理を中止し、
前記判定手段は、前記被写体からの反射光を前記イメージセンサが受光した場合に点灯していた前記ブロックに対応する前記検知位置で前記原稿があったという検知結果と、前記検知手段の検知結果とに応じて、前記被写体のサイズを判定する
ことを特徴とする請求項３に記載の原稿読取装置。
【請求項５】
前記制御手段は、前記検知手段の検知結果に応じて、点灯させるブロックの順番を変更する
ことを特徴とする請求項１乃至３のいずれか一項に記載の原稿読取装置。
【請求項６】
前記判定手段が判定した前記被写体のサイズの履歴を記憶する記憶手段を更に備え、
前記制御手段は、前記判定手段が判定した前記被写体のサイズの履歴に応じて、点灯させるブロックの順番を変更する
ことを特徴とする請求項１乃至３のいずれか一項に記載の原稿読取装置。
【請求項７】
使用者からの操作入力を受け付ける受付手段を更に備え、
前記制御手段は、点灯させるブロックの順番を指定する操作入力を前記受付手段が受け付けた場合、当該順番に応じて、前記ブロックを点灯させる
ことを特徴とする請求項１乃至３のいずれか一項に記載の原稿読取装置。
【請求項８】
前記点光源アレイ照明のブロックのうち前記検知手段が検知に用いるブロックに応じて、前記検知位置を切り替える位置切替手段を更に備える
ことを特徴とする請求項３に記載の原稿読取装置。
【請求項９】
前記被写体に表れる画像を読み取る読取手段を更に備える
ことを特徴とする請求項１乃至８のいずれか一項に記載の原稿読取装置。
【請求項１０】
前記光源制御手段は、前記検知手段が副走査方向の被写体の有無を検知する場合に点灯させる前記ブロックの光量を、前記読取手段が前記画像を読み取る場合の光量よりも低く設定する
ことを特徴とする請求項９に記載の原稿読取装置。
【請求項１１】
前記光源制御手段は、前記読取手段が前記画像を読み取る場合に点灯させる前記点光源アレイ照明の各前記ブロックの光量を、点灯時間に応じて制御する
ことを特徴とする請求項９又は１０に記載の原稿読取装置。
【請求項１２】
前記点光源素子の光量を変化させるためのパルスの数をカウントするパルスカウンタと、
前記点光源素子の光量の劣化の長期的な特性を示す代表データを記憶する記憶手段とを更に備え、
前記光源制御手段は、前記パルスカウンタがカウントしたパルスの数を取得することにより、前記点灯時間を取得し、これと前記代表データとを用いて、前記点光源素子の劣化を予測して、予測した劣化を補うよう前記点光源アレイ照明の前記ブロックの光量を制御する
ことを特徴とする請求項９乃至１１のいずれか一項に記載の原稿読取装置。
【請求項１３】
前記読取手段を副走査方向に移動させるキャリッジと、
前記点光源アレイ照明のブロックのうち前記検知手段が検知に用いるブロックに応じて、前記キャリッジの移動速度を切り替える速度切替手段とを更に備える
ことを特徴とする請求項９乃至１２のいずれか一項に記載の原稿読取装置。
【請求項１４】
前記イメージセンサは、受光した反射光を電気信号に変換し、
前記電気信号を増幅する増幅手段と、
前記検知手段が走査方向の被写体の有無を検知する場合と前記読取手段が前記画像を読み取る場合とで、前記電気信号を増幅する増幅率を切り替えるゲイン切替手段とを更に備える
ことを特徴とする請求項９乃至１３のいずれか一項に記載の原稿読取装置。
【請求項１５】
前記読取手段が読み取った前記画像を用いて作像を行なう画像形成手段を更に備える
ことを特徴とする請求項９乃至１４のいずれか一項に記載の原稿読取装置。
【請求項１６】
前記画像形成手段が作像を行った前記画像を転写する転写紙を蓄積して給紙する給紙装置を更に備え、
前記制御手段は、前記検知手段の検知結果及び前記給紙装置に蓄積された前記転写紙のサイズに応じて、点灯させるブロックの順番を制御する
ことを特徴とする請求項１５に記載の原稿読取装置。
【請求項１７】
被写体が載置される原稿台と、主走査方向に複数の点光源素子を配列した点光源アレイ照明と、前記点光源アレイ照明の前記点光源素子の全部又は一部を点灯させる手段であって、複数の前記点光源素子が各ブロックに分割されたブロック毎に前記点光源アレイ照明を点灯可能である光源制御手段と、前記点光源アレイ照明を走行体で支持し前記原稿台に載置された被写体と相対的に移動させる移動手段と、前記光源制御手段が前記点光源アレイ照明を点灯させることにより照明された被写体の反射光を受光するイメージセンサと、発光素子と受光素子とを有し、前記発光素子の発光により照明された被写体の反射光を前記受光素子が受光することにより、副走査方向の被写体の有無を検知する検知手段とを備える原稿読取装置で実現されるサイズ判定方法であって、
前記光源制御手段が、前記点光源アレイ照明の前記ブロックのうち、点灯させるブロックの順番を制御し、
前記点光源アレイ照明の点灯により照明された被写体からの反射光を前記イメージセンサが受光したか否かで主走査方向の被写体の有無を検知し、当該検知結果と、前記検知手段の検知結果とに応じて、前記被写体のサイズを判定する
ことを特徴とするサイズ判定方法。
【発明の詳細な説明】
【技術分野】
【０００１】
本発明は、原稿読取装置及びサイズ判定方法に関する。
【背景技術】
【０００２】
従来より、イメージスキャナ等の原稿読取装置や、原稿読取装置を備えた複写機、ファクシミリ、印刷装置等の画像形成装置は、透明な原稿台上に載置された被写体である原稿のサイズ（原稿サイズという）を自動で判定する機能を有している。原稿サイズを判定する方法としては、Ｂ５、Ａ４、Ｂ４等の定型の各種原稿サイズに対応した場所に反射型センサを設置して、その反応の組合せから原稿サイズを判定する方法が一般に用いられている。
【０００３】
種々の原稿サイズや位置の判定を高分解能で行なう技術として、原稿に照明を当て、原稿の反射光をＣＣＤ等のラインセンサに結像させて、ラインセンサの画素に反応したか否かで原稿の幅や長さを検知する技術がある（例えば特許文献１参照）。また、複数の光源を配列した照射手段により照射された被写体像に応じて画像信号を出力する画像読取手段を用いて、主走査方向の原稿サイズを検知した後、副走査方向に被写体像と画像読取手段とを移動手段が相対的に移動させて、副走査方向の原稿サイズを検知する技術がある（例えば特許文献２参照）。
【発明の概要】
【発明が解決しようとする課題】
【０００４】
しかしながら、特許文献１の技術では、原稿サイズの判定時に、ハロゲンランプや蛍光灯等の照明用ランプを点灯するため光源の発熱が大きく、消費電力も大きいことに加え、主走査方向全域が点灯するため、点灯時に使用者がまぶしいと感じてしまう。また、特許文献２の技術では、コストのかかる反射型センサを用いずに原稿サイズを検知することができるが、原稿サイズを検知するまでに時間がかかる。例えばＡ３サイズの原稿サイズの場合、照射手段の光源を点灯させる時間がかかり、その間使用者がまぶしいと感じてしまう。
【０００５】
本発明は、上記に鑑みてなされたものであって、被写体のサイズを高分解能且つ高精度に判定可能であると共に、消費電力を低減可能であり、光源の点灯時における使用者のまぶしさを軽減可能な原稿読取装置及びサイズ判定方法を提供することを目的とする。
【課題を解決するための手段】
【０００６】
上述した課題を解決し、目的を達成するために、本発明は、原稿読取装置であって、被写体が載置される原稿台と、主走査方向に複数の点光源素子を配列した点光源アレイ照明と、前記点光源アレイ照明の前記点光源素子の全部又は一部を点灯させる手段であって、複数の前記点光源素子が各ブロックに分割されたブロック毎に前記点光源アレイ照明を点灯可能である光源制御手段と、前記点光源アレイ照明を走行体で支持し前記原稿台に載置された被写体と相対的に移動させる移動手段と、前記光源制御手段が前記点光源アレイ照明を点灯させることにより照明された被写体の反射光を受光するイメージセンサと、発光素子と受光素子とを有し、前記発光素子の発光により照明された被写体の反射光を前記受光素子が受光することにより、副走査方向の被写体の有無を検知する検知手段とを備え、前記光源制御手段は、前記点光源アレイ照明の前記ブロックのうち、点灯させるブロックの順番を制御する制御手段と、前記点光源アレイ照明の点灯により照明された被写体からの反射光を前記イメージセンサが受光したか否かで主走査方向の被写体の有無を検知し、当該検知結果と、前記検知手段の検知結果とに応じて、前記被写体のサイズを判定する判定手段とを有することを特徴とする。
【０００７】
また、本発明は、被写体が載置される原稿台と、主走査方向に複数の点光源素子を配列した点光源アレイ照明と、前記点光源アレイ照明の前記点光源素子の全部又は一部を点灯させる手段であって、複数の前記点光源素子が各ブロックに分割されたブロック毎に前記点光源アレイ照明を点灯可能である光源制御手段と、前記点光源アレイ照明を走行体で支持し前記原稿台に載置された被写体と相対的に移動させる移動手段と、前記光源制御手段が前記点光源アレイ照明を点灯させることにより照明された被写体の反射光を受光するイメージセンサと、発光素子と受光素子とを有し、前記発光素子の発光により照明された被写体の反射光を前記受光素子が受光することにより、副走査方向の被写体の有無を検知する検知手段とを備える原稿読取装置で実現されるサイズ判定方法であって、前記光源制御手段が、前記点光源アレイ照明の前記ブロックのうち、点灯させるブロックの順番を制御し、前記点光源アレイ照明の点灯により照明された被写体からの反射光を前記イメージセンサが受光したか否かで主走査方向の被写体の有無を検知し、当該検知結果と、前記検知手段の検知結果とに応じて、前記被写体のサイズを判定することを特徴とする。
【発明の効果】
【０００８】
本発明によれば、被写体のサイズを低コストで高分解能且つ高精度に判定可能であると共に、消費電力を低減可能であり、光源の点灯時における使用者のまぶしさを軽減可能になる。
【図面の簡単な説明】
【０００９】
【図１】図１は、第１の実施の形態にかかる画像形成装置のハードウェア構成を例示する図である。
【図２】図２は、原稿読取ユニット２００の詳細な構成を例示する図である。
【図３】図３は、原稿の有無を検知する際の検知位置となるスポットを例示する図である。
【図４】図４は、反射型センサである原稿サイズ判定センサ５４を例示する図である。
【図５】図５は、原稿サイズ判定センサ５４がスポットＳＰ４に設置される例を示す図である。
【図６】図６は、ＬＥＤ光源アレイ２の詳細な構成を例示する図である。
【図７】図７は、制御ユニットの詳細な構成を例示する図である。
【図８】図８は、ＬＥＤドライバ２０がＬＥＤ光源アレイ２に対して出力するＯＮ信号の構成を例示する図である。
【図９】図９は、ＬＥＤの長期光量劣化特性の代表データを例示する図である。
【図１０】図１０は、圧板となるＡＤＦ３００と原稿台２１０と圧板開閉検知センサ５７と原稿サイズ判定センサ５４との関係を例示する図である。
【図１１】図１１は、スポットＳＰ１〜ＳＰ４における検知結果と原稿サイズとの対応関係を例示する図である。
【図１２】図１２は、本実施の形態にかかる画像形成装置の行う原稿サイズ判定処理の手順を示すフローチャートである。
【図１３】図１３は、ステップＳ６〜Ｓ８でＬＥＤ光源アレイ２を点灯させて原稿サイズを判定する処理の手順を示すフローチャートである。
【図１４】図１４は、各スポットＳＰ１〜ＳＰ４に反射型センサ５１０，５２０，５３０，５４０が設置される例を示す図である。
【図１５】図１５は、圧板５５０と原稿台２１００と圧板開閉検知センサ５７０と原稿サイズ判定センサとなる反射型センサ５１０，５２０，５４０との関係を例示する図である。
【図１６】図１６は、スポットＳＰ１〜ＳＰ４における検知結果と原稿サイズとの対応関係を例示する図である。
【図１７】図１７は、一変形例におけるステップＳ６〜Ｓ８でＬＥＤ光源アレイ２を点灯させて原稿サイズを判定する処理の手順を示すフローチャートである。
【図１８】図１８は、一変形例におけるステップＳ６〜Ｓ８でＬＥＤ光源アレイ２を点灯させて原稿サイズを判定する処理の手順を示すフローチャートである。
【発明を実施するための形態】
【００１０】
以下に添付図面を参照して、この発明にかかる原稿読取装置及びサイズ判定方法の最良な実施の形態を詳細に説明する。
【００１１】
（１）構成
まず、本実施の形態にかかる原稿読取装置を画像形成装置に適用した例について説明する。画像形成装置とは、例えば、パーソナルコンピュータ等の画像入力装置として用いられるイメージスキャナや、複写機、ファクシミリ、印刷装置等である。また、画像形成装置は、パーソナルコンピュータに接続され得る。図１は、画像形成装置のハードウェア構成を例示する図である。画像形成装置は本体１００と、画像形成装置本体１００の上部に設置された原稿読取ユニット２００と、さらにその上に装着された自動原稿給送ユニット（以下、「ＡＤＦ」と称す）３００と、画像形成装置本体１００の図１において右側に配置された大容量給紙ユニット４００と、画像形成装置本体１００の図１において左側に配置された用紙後処理ユニット５００と、制御ユニット（図示せず）とを備えている。画像形成装置本体１００は、画像書き込み部１１０と、作像部１２０と、定着部１３０と、両面搬送部１４０と、給紙部１５０と、垂直搬送部１６０と、手差し部１７０とを備える。
【００１２】
制御ユニットは、画像形成装置の各部を制御して、画像形成装置の起動、停止、動作モードの設定を制御する。画像書き込み部１１０は、原稿読取ユニット２００で読み取った原稿に表される画像のデータに基づいて発光源であるＬＤを変調し、ポリゴンミラー、ｆθレンズなどの走査光学系により感光体ドラム１２１にレーザ書き込みを行う。作像部１２０は、感光体ドラム１２１と、この感光体ドラム１２１の外周に沿って設けられた現像ユニット１２２、転写ユニット１２３、クリーニングユニット１２４及び除電ユニットなどの公知の電子写真方式の作像要素を有する。定着部１３０は、転写ユニット１２３で転写された画像を転写紙に定着する。両面搬送部１４０は、定着部１３０の転写紙搬送方向下流側に設けられ、転写紙の搬送方向を用紙後処理ユニット５００側、あるいは両面搬送部１４０側に切り換える第１の切換爪１４１と、第１の切換爪１４１によって導かれた反転搬送路１４２と、反転搬送路１４２で反転した転写紙を再度転写ユニット１２３側に搬送する画像形成側搬送路１４３と、反転した転写紙を用紙後処理ユニット５００側に搬送する後処理側搬送路１４４とを含む。画像形成側搬送路１４３と後処理側搬送路１４４との分岐部には第２の切換爪１４５が配されている。
【００１３】
給紙部１５０は、４段の給紙段からなり、それぞれピックアップローラ、給紙ローラによって選択された給紙段に収納された転写紙が引き出され、垂直搬送部１６０に導かれる。垂直搬送部１６０では、各給紙段から送り込まれた転写紙を転写ユニット１２３の用紙搬送方向上流側直前のレジストローラ１６１まで搬送し、レジストローラ１６１では、感光体ドラム１２１上の顕像の画像先端とタイミングを取って転写紙を転写ユニット１２３に送り込む。手差し部１７０は開閉自在な手差しトレイ１７１を備え、必要に応じて手差しトレイ１７１を開いて転写紙を手差しにより供給する。この場合もレジストローラ１６１で転写紙の搬送タイミングが取られ、搬送される。大容量給紙ユニット４００は、同一サイズの転写紙を大量にスタックして供給するもので、転写紙が消費されるにしたがって底板４０２が上昇し、ピックアップローラ４０１から用紙のピックアップが常に可能に構成されている。ピックアップローラ４０１から給紙される転写紙は、垂直搬送部１６０からレジストローラ１６１のニップまで搬送される。
【００１４】
用紙後処理ユニット５００はパンチ、整合、ステイプル、仕分けなどの所定の処理を行うもので、本実施の形態では、当該所定の処理を行うためにパンチ５０１、ステイプルトレイ（整合）５０２、ステイプラ５０３及びシフトトレイ５０４を備えている。すなわち、画像形成装置本体１００から用紙後処理ユニット５００に搬入された転写紙は、孔明けを行う場合にはパンチ５０１で１枚ずつ孔明けが行われ、その後、特に処理するものがなければ、プルーフトレイ５０５へ、ソート、スタック、仕分けを行う場合にはシフトトレイ５０４にそれぞれ排紙される。仕分けは、本実施の形態では、シフトトレイ５０４が用紙搬送方向に直交する方向に所定量往復動することにより行われる。このほかに、用紙搬送路で用紙を用紙搬送方向と直交する方向に移動させて仕分けを行うこともできる。整合する場合には、孔明けが行われた、あるいは孔明けが行われていない転写紙が下搬送路５０６に導かれ、ステイプルトレイ５０２において後端フェンスで用紙搬送方向を直交する方向が整合され、ジョガーフェンスで用紙搬送方向と平行な方向の整合が行われる。ここで、綴じが行われる場合には、整合された用紙束の所定位置、例えば角部、中央２箇所など所定の位置がステイプラ５０３によって綴じられ、放出ベルトによってシフトトレイ５０４に排紙される。また、本実施の形態では、下搬送路５０６にはプレスタック搬送路５０７が設けられ、搬送時に複数枚の用紙をスタックし、後処理中の画像形成装置本体１００側の画像形成動作の中断を避けることができるようになっている。 
【００１５】
原稿読取ユニット２００は、ＡＤＦ３００によって原稿台２１０上に導かれて停止し、原稿台２１０に載置された状態の原稿又は使用者により原稿台２１０に載置された状態の原稿を光学的にスキャンし、第１乃至第３のミラーを経て結像レンズで結像された画像をＣＣＤやＣＭＯＳなどの光電変換素子によって読み取る。読み取られた画像のデータ（画像データ）は、図示しない画像処理回路で所定の画像処理が実行され、記憶装置に一旦記憶される。そして、画像形成時に画像書き込み部１１０によって画像データが記憶装置から読み出され、当該画像データに応じて変調され、光書き込みが行われる。ＡＤＦ３００は、両面読み取り機能を有するもので、原稿読取ユニット２００の原稿台２１０設置面に開閉自在に取り付けられている。
【００１６】
次に、原稿読取ユニット２００の詳細な構成について図２を用いて説明する。原稿読取ユニット２００は、スキャナ本体１２を備え、原稿１３を載置する原稿台２１０をスキャナ本体１２の上部に備え、原稿露光用のＬＥＤ光源アレイ２、スキャナ本体１２内に設置されるセンサボードユニット１０及び白基準板１１を備える。センサボードユニット１０は、第１反射ミラー３を搭載した第１キャリッジ６、第２反射ミラー４及び第３反射ミラー５を搭載した第２キャリッジ７、レンズユニット８及びＣＣＤリニアイメージセンサ（以下、ＣＣＤと略称する）９を備え、ＣＣＤ９が光電変換した電気信号に対して所定の処理を施す。ＣＣＤ９は、センサボードユニット１０に搭載され、第３反射ミラー５から入射した光（読み取り光）を受光して光電変換する。レンズユニット８は、ＣＣＤ９に第３反射ミラー５から入射した読み取り光を結像する。白基準板１１は、読み取り光学系等による各種の歪みを補正する。原稿の走査時は第１キャリッジ６及び第２キャリッジ７はステッピングモータ（不図示）によって図示しないレールに沿って２対１の速度比で副走査方向Ａに移動する。ＬＥＤ光源アレイ２は、主走査方向に平行に配置された長尺な線状光源であり、例えば、原稿の幅方向（主走査方向）に点光源素子（例えば白色ＬＥＤ素子等）を配列した点光源アレイ照明（例えばＬＥＤアレイ等）から構成されている。このＬＥＤ光源アレイ２によって主走査方向の原稿の有無が検知される。
【００１７】
副走査方向の原稿の有無については、後述する原稿サイズ判定センサが検知する。ここで、原稿の有無を検知する際の検知位置となるスポットについて図３を用いて説明する。同図に示されるように、定型の原稿サイズに合せて原稿台２１０の複数箇所に、検知位置としてスポットＳＰ１〜ＳＰ４が設定される。原稿台２１０の左側端部及び奥側端部の原稿基準に合せて載置された状態の原稿に対して、主走査方向についてはスポットＳＰ１〜ＳＰ３で原稿１３の有無を検知し、副走査方向についてはスポットＳＰ４で原稿の有無を検知する。スポットＳＰ４には、図４に示すように、発光ダイオード（ＬＥＤ）等の発光素子とフォトダイオード等の受光素子とを有する反射型センサが原稿サイズ判定センサ５４として設置される。図５は、原稿サイズ判定センサ５４がスポットＳＰ４に設置される例を示す図である。原稿サイズ判定センサ５４は、反射型センサの発光素子から光を照射し、光が照射された原稿からの反射光の有無を受光素子で検知することにより、原稿の有無を検知する。一方、主走査方向については、上述したＬＥＤ光源アレイ２及びＣＣＤ９を利用して、ＬＥＤ光源アレイ２が照明した原稿からの反射光にＣＣＤ９内の画素が反応したか否か、即ち、当該反射光をＣＣＤ９が受光したか否かにより、各スポットＳＰ１〜ＳＰ３における原稿の有無を各々検知する。
【００１８】
次に、ＬＥＤ光源アレイ２の詳細な構成について図６を用いて説明する。同図に示されるように、ＬＥＤ光源アレイ２は、３５個の白色ＬＥＤ素子ＬＥＤ１〜ＬＥＤ３５が一列に配列されたものであり、アレイ長手方向の全長は原稿台２１０の幅方向の長さ（左端の原稿基準スケールの長さ）と同じかそれ以上の長さに設定されている。尚、白色ＬＥＤ素子ＬＥＤ１〜ＬＥＤ３５は、５個ずつ１つのブロックとして、７個のブロックＢＬ１〜ＢＬ７に分けられている。具体的には、白色ＬＥＤ素子ＬＥＤ１〜ＬＥＤ５はブロックＢＬ１に含まれ、白色ＬＥＤ素子ＬＥＤ６〜ＬＥＤ１０はブロックＢＬ２に含まれ、白色ＬＥＤ素子ＬＥＤ１１〜ＬＥＤ１５はブロックＢＬ３に含まれ、白色ＬＥＤ素子ＬＥＤ１６〜ＬＥＤ２０はブロックＢＬ４に含まれ、白色ＬＥＤ素子ＬＥＤ２１〜ＬＥＤ２５はブロックＢＬ５に含まれ、白色ＬＥＤ素子ＬＥＤ２６〜ＬＥＤ３０はブロックＢＬ６に含まれ、白色ＬＥＤ素子ＬＥＤ３１〜ＬＥＤ３５はブロックＢＬ７に含まれる。そして白色ＬＥＤ素子ＬＥＤ１〜ＬＥＤ３５はこのブロック毎に点灯及び消灯可能である。各ブロックと上述した各スポットＳＰ１〜ＳＰ３とが対応している。ブロックＢＬ５を点灯させることにより、スポットＳＰ１が照明され、ブロックＢＬ６を点灯させることにより、スポットＳＰ２が照明され、ブロックＢＬ７を点灯させることにより、スポットＳＰ３が照明される。
【００１９】
原稿１３が原稿台２１０に載置された状態で、図３に示すような位置関係でＬＥＤ光源アレイ２の白色ＬＥＤ素子ＬＥＤ１〜ＬＥＤ３５の全てを点灯させて原稿１３を照射すると、ＣＣＤ９からは電気信号が得られ、原稿があることを検知することができる。しかし、原稿の有無の検知時には、検知したいのは原稿の端部であるから、白色ＬＥＤ素子ＬＥＤ１〜ＬＥＤ３５の全てを点灯しなくても原稿の端部を検知することが可能である。従って本実施の形態においては、原稿の有無の検知時に全ての白色ＬＥＤ素子を点灯させる必要がない場合には、その必要のあるブロックのみ点灯させるよう制御する。このような構成により、無駄な電力の消費を抑制することができると共に、使用者の感じるまぶしさを低減させることができる。各ブロックを点灯させる順番を制御する方法については後述する。
【００２０】
次に、制御ユニットの詳細な構成について図７を用いて説明する。制御ユニット６００は、コントローラ２５、ＬＥＤドライバ２０、スキャナモータ制御部２１、画像処理部２２、操作パネル２３、通信部２４、パルスカウンタ２６、メモリ２７、ゲイン設定部２８、原稿サイズ判定センサ５４及び圧板開閉検知センサ５７を有する。コントローラ２５は、装置全体を制御するＣＰＵ（Central Processing Unit）等の制御部と、各種データや各種プログラムを記憶するＲＯＭ（Read Only Memory）やＲＡＭ（Random Access Memory）やＨＤＤ（Hard Disk Drive）等の記憶部（いずれも図示せず）とを有し、制御ユニット６００の有する各部を制御する。スキャナモータ制御部２１は、コントローラ２５の制御の下、白色ＬＥＤアレイを含んだ第１キャリッジ６，第２キャリッジ７の副走査方向の駆動を制御する。パルスカウンタ２６は、後述するPWM信号のパルス数をカウントして記憶する。メモリ２７は、ＬＥＤの光量の劣化の長期的な特性を示す長期光量劣化特性の代表データやゲイン設定部２８に設定されるゲイン（増幅率）の標準の値やPWM信号のdutyなどの各種データを記憶する。各データについては後述する。ゲイン設定部２８は、コントローラ２５により設定されたゲインに応じて、ＣＣＤ９が光電変換した電気信号を増幅する。
【００２１】
操作パネル２３は、使用者の操作入力を受け付けるキーボードやマウス等の入力装置と、情報を表示する表示装置が一体的に形成された装置であり、使用者からの指示入力をコントローラ２５に送ったり、コントローラ２５の制御の下、情報を表示したりする。通信部２４は、コントローラ２５の制御の下、外部装置であるパーソナルコンピュータと通信する。ＬＥＤドライバ２０は、コントローラ２５の制御の下、コントローラ２５から送られる、ＬＥＤ光源アレイ２に対するＯＮ／ＯＦＦ信号を出力することにより、ＬＥＤ光源アレイ２が所望のＬＥＤ点灯パターンとなるように制御する。
【００２２】
ここで、ＬＥＤドライバ２０がＬＥＤ光源アレイ２に対して出力するＯＮ信号の構成について図８を用いて説明する。図６に示したように、ＬＥＤ光源アレイ２の白色ＬＥＤ素子ＬＥＤ１〜ＬＥＤ３５は７個のブロックに分けられているが、原稿サイズの判定に必要ないブロック（例えばブロックＢＬ１〜ＢＬ４）は、１本のＯＮ信号(LEDON_1)及び点灯用PWM信号(PWM_1)により制御され、原稿サイズの判定に必要なブロック（例えばブロックＢＬ５〜ＢＬ７）は、３本のＯＮ信号(LEDON_2〜4)及び点灯用PWM信号(PWM2〜4)により制御される。LEDON信号及び点灯用PWM信号は、コントローラ２５が生成して各ＬＥＤドライバ２０に出力する。ＬＥＤ光源アレイ２では、PWM信号のduty（パルス幅のHとLの比）を変化させることで光量を実効的に変化させることができる。このため、LEDON信号とPWM信号とのANDをとった信号をＬＥＤドライバ２０に入力している。ここでは、図６に示されるブロックＢＬ５〜ＢＬ７については、コントローラ２５は、原稿の有無の検知時と原稿のスキャン時とで光量を変化させる、即ち、PWM信号のdutyの切替を行う。具体的には、コントローラ２５は、原稿有無検知時のdutyの値を原稿スキャン時より低く設定して、原稿有無検知時の光量を原稿スキャン時より低くする。これにより、光源の点灯時の使用者のまぶしさをより低減することができる。このとき、光量を下げた分、濃度の濃い原稿に対する原稿有無検知時には、ＣＣＤ９が光電変換した電気信号の変化を検知することが困難になるため、コントローラ２５は、ゲイン設定部２８がＣＣＤ９からの電気信号を増幅する際のゲインを標準の値より高く設定する。その高さは例えば光量を下げた分を補う程である。これにより、原稿有無検知時のＣＣＤ９からの電気信号のエネルギーの低下をカバーして、原稿スキャン時に通常得られる電気信号と同程度のエネルギーを得られるようにする。尚、原稿有無検知時のduty及び原稿スキャン時のdutyのうち少なくとも一方の値がメモリ２７に予め記憶されている。
【００２３】
本実施の形態では、ＬＥＤ光源アレイ２のブロックＢＬ５〜ＢＬ７については、原稿サイズ検知用に点灯させるため、原稿サイズの検知に必要のない他のブロックＢＬ１〜ＢＬ４に比べて、点灯による光量の劣化が著しくなる。このため、ＬＥＤ光源アレイ２のブロック間で光量の差異が生じ、白板分布が変化することにより、シェーディングなどの画像処理の結果に支障をきたす恐れがある。これに対応するために、パルスカウンタ２６によって、原稿の有無の検知に用いるブロックＢＬ５〜ＢＬ７のそれぞれについて入力されたPWM信号の累積のパルス数（累積パルス数という）を各々カウントし、一方で、ＬＥＤの長期光量劣化特性の代表データをメモリ２７に予め記憶させておく。図９は、ＬＥＤの長期光量劣化特性の代表データを例示する図であり、横軸が累積パルス数を表し、縦軸が、光量の割合を表しており、使用前の光量の割合を１００％としている。コントローラ２５は、累積パルス数をＬＥＤ点灯時間として取得し、これと長期光量劣化特性の代表データとを照らし合わせて、ブロックＢＬ５〜ＢＬ７のそれぞれについて劣化した光量を予測し、それに応じて、原稿スキャン時のPWM信号のdutyの値を上げる。具体的には、例えば図９では、累積パルス数が１０万回に達した時点では光量の割合は使用前から１０％低下して９０％になると予測されるため、コントローラ２５は、原稿スキャン時のPWM信号のdutyの値を、１０％の低下に相当する分上げる。このdutyの値の設定をコントローラ２５はブロックＢＬ５〜ＢＬ７のそれぞれについて行う。これにより、原稿の有無の検知により生じた光量の劣化を補正することができる。
【００２４】
図７の説明に戻る。圧板開閉検知センサ５７は、原稿台２１０に載置された状態の原稿を押さえるための圧板が開状態であるのか、閉状態であるのかを検知する。ここではＡＤＦ３００が圧板に相当する。開状態とは、圧板となるＡＤＦ３００の開閉角度がθ（例えば３０度）より大きい状態であり、閉状態とは開閉角度がθ以下の状態である。図１０は、圧板となるＡＤＦ３００と原稿台２１０と圧板開閉検知センサ５７と原稿サイズ判定センサ５４との関係を例示する図である。ＡＤＦ３００はヒンジ５８を支点として開閉し、ＡＤＦ３００にはフィラー５６が接続される。このフィラー５６が圧板開閉検知センサ５７を遮断しているか否かにより、ＡＤＦ３００の開閉状態を圧板開閉検知センサ５７は検知する。図７の説明に戻る。原稿サイズ判定センサ５４は、コントローラ２５の制御の下、原稿台２１０上に載置された状態の原稿１３についてスポットＳＰ４における有無を検知することにより、副走査方向の原稿の有無を検知する。検知のタイミングは、例えば、ＡＤＦ３００が閉状態となったと圧板開閉検知センサ５７が検知したとき、即ち、ＡＤＦ３００の開閉角度がθ以下（例えば３０度）になったときである。
【００２５】
次に、コントローラ２５の制御部が記憶部に記憶されたプログラムを実行することにより制御ユニット６００の有する各部を制御して実現させる機能について説明する。図３に示すように、原稿台２１０の左端及び奥側端である原稿基準に原稿が突き合わされて載置され、圧板となるＡＤＦ３００が閉められることにより又はＡＤＦ３００により原稿が原稿台２１０上に自動給紙されることにより、ＡＤＦ３００の閉状態を圧板開閉検知センサ５７が検知し、この検知をトリガとして、原稿サイズ判定センサ５４がスポットＳＰ４において原稿の有無を検知すると、コントローラ２５は、ＬＥＤ光源アレイ２を点灯させ、キャリッジを動作させてホームポジションへ向かって移動させながら、原稿に表される画像を読み取る。このとき、コントローラ２５は、ＬＥＤ光源アレイ２のブロックＢＬ１〜ＢＬ４については点灯させるが、ブロックＢＬ５〜ＢＬ７については点灯させるブロックの順番を制御して、スポットＳＰ１,ＳＰ２，ＳＰ３のうち少なくも１つにおいて原稿の有無を検知する。具体的には、当該順番は予め定められているとし、コントローラ２５は、当該順番に従って、ブロックＢＬ５〜ＢＬ７のうち１つを点灯させるＯＮ信号をＬＥＤドライバ２０に出力して当該ブロックを点灯させ、当該点灯により照明された原稿からの反射光をＣＣＤ９が受光していない場合、即ち、当該ブロックに対応するスポットで原稿のあったことが検知されない場合、当該ブロックを消灯させると共に、当該ブロックとは異なる次の順番のブロックを点灯させるＯＮ信号をＬＥＤドライバ２０に出力して当該ブロックを点灯させる処理を繰り返し行い、原稿からの反射光をＣＣＤ９が受光した場合、即ち、当該ブロックに対応するスポットで原稿のあったことが検知された場合、コントローラ２５は、当該処理を中止する。そして、コントローラ２５は、当該スポットで原稿があったという検知結果と、原稿サイズ判定センサ５４によるスポットＳＰ４における検知結果の組合せにより、原稿サイズを判定する。図１１は、スポットＳＰ１〜ＳＰ４における検知結果と原稿サイズとの対応関係を例示する図である。同図においては、スポットＳＰ４で原稿が検知された場合は、「○」で表し、スポットＳＰ１〜ＳＰ３で原稿を検知した場合は、一番外側のスポットを「○」で表し、原稿サイズの判定に用いる。内側で反応したスポットは、判定に用いないため、「△」で表す。また、原稿が検知されなくて反応しないスポットは、「−」で表す。例えば、スポットＳＰ４及びスポットＳＰ２が反応し、スポットＳＰ３が反応した場合、原稿サイズはＢ４タテとコントローラ２５は判定する。この時、スポットＳＰ２の内側のスポットＳＰ１の結果は判定に用いない。
【００２６】
（２）動作
次に、本実施の形態にかかる画像形成装置の行う原稿サイズ判定処理の手順について図１２を用いて説明する。ステップＳ１では、画像形成装置は、スタンバイ状態において、圧板となるＡＤＦ３００の開状態を圧板開閉検知センサ５７が検知したことをトリガとして、ステップＳ２では、キャリッジがホームポジションから原稿読取位置（例えば、ホームポジションから50mm）に移動する。その後、あるいは同タイミングで、ステップＳ３では、画像形成装置は、原稿サイズ判定センサ５４を機能させる。その後、原稿が原稿台２１０に載置された状態にしたとき、ＡＤＦ３００の閉状態を圧板開閉検知センサ５７が検知したこと（ステップＳ４：ＹＥＳ）をトリガとして、ステップＳ５では、原稿サイズ判定センサ５４がスポットＳＰ４における原稿の有無を検知することにより、副走査方向の原稿の有無を検知する。
【００２７】
ステップＳ６では、画像形成装置は、ＬＥＤ光源アレイ２を原稿スキャン時より低い光量（低光量）で点灯させる。即ち、画像形成装置は、ブロックＢＬ５〜ＢＬ７に入力する点灯用PWM信号(PWM2〜4)のdutyの設定を、原稿スキャン時より低く設定する。ステップＳ７では、画像形成装置は、キャリッジを動作させてホームポジションへ向かって移動させながら、原稿に表される画像を読み取る。このとき、ステップＳ８では、画像形成装置は、読み取った画像のデータ（画像データ）から、各スポットＳＰ１〜ＳＰ３において原稿の有無を検知することにより、主走査方向の原稿の有無を検知する。そして、画像形成装置は、ステップＳ５で検知した副走査方向の検知結果と、ステップＳ８で検知した主走査方向の検知結果とを用いて、原稿サイズを判定し、その後、点灯させていたブロックの全てを消灯させる（ステップＳ８Ａ）。ステップＳ９では、画像形成装置は、キャリッジの動作を停止させて、スキャンを指示する操作入力が操作パネル２３を介して入力されるのを待機する。スキャンを指示する操作入力があった場合（ステップＳ１０：ＹＥＳ）、ステップＳ１０Ａでは、画像形成装置は、ゲイン設定部２８に設定するゲインの値を、原稿スキャン時の標準の値に設定すると共に、PWM信号のdutyを原稿有無検知時の値から原稿スキャン時の値に切替えて、ステップＳ１１では、スキャナ本体１２を動作させて、スキャン（原稿スキャン）を開始する。
【００２８】
ここで、ステップＳ６〜Ｓ８でＬＥＤ光源アレイ２を点灯させて原稿サイズを判定する処理の手順について図１３を用いて詳細に説明する。画像形成装置は、ＬＥＤ光源アレイ２のブロックＢＬ１〜ＢＬ４については点灯させ、ステップＳ１２では、画像形成装置は、ステップＳ５での検知の結果、スポットＳＰ４において原稿があったか否かを判定する。スポットＳＰ４において原稿があったことが検知された場合（ステップＳ１２：ＹＥＳ）、ステップＳ１３では、画像形成装置は、図６に示したＬＥＤ光源アレイ２のブロックＢＬ１〜ＢＬ７のうちブロックＢＬ７を点灯させ、ステップＳ１４では、キャリッジを動作させてホームポジションへ向かって移動させて原稿に表される画像を読み取りながら、ステップＳ１５では、スポットＳＰ３における原稿の有無を検知する。スポットＳＰ３において原稿があったことが検知された場合（ステップＳ１５：ＹＥＳ）、ステップＳ１６では、画像形成装置は、図１１に示される組み合わせにより、原稿サイズはＡ３であると判定して、図１２のステップＳ８Ａに進む。スポットＳＰ３において原稿があったことが検知されない場合（ステップＳ１５：ＮＯ）、ステップＳ１７では、画像形成装置は、ブロックＢＬ６を点灯させると共に、ブロックＢＬ７を消灯させ、ステップＳ１８では、スポットＳＰ２における原稿の有無を検知する。
【００２９】
スポットＳＰ２において原稿があったことが検知された場合（ステップＳ１８：ＹＥＳ）、ステップＳ１９では、画像形成装置は、図１１に示される組み合わせにより、原稿サイズはＢ４であると判定して、図１２のステップＳ８Ａに進む。スポットＳＰ２において原稿があったことが検知されない場合（ステップＳ１８：ＮＯ）、ステップＳ２０では、画像形成装置は、ブロックＢＬ５を点灯させると共に、ブロックＢＬ６を消灯させ、ステップＳ２１では、スポットＳＰ１における原稿の有無を検知する。スポットＳＰ１において原稿があったことが検知された場合（ステップＳ２１：ＹＥＳ）、ステップＳ２２では、画像形成装置は、図１１に示される組み合わせにより、原稿サイズはＡ４縦であると判定して、図１２のステップＳ８Ａに進む。スポットＳＰ１において原稿があったことが検知されない場合（ステップＳ２１：ＮＯ）、ステップＳ２３では、画像形成装置は、図１１に示される組み合わせにより、原稿サイズはＢ５縦であると判定して、図１２のステップＳ８Ａに進む。
【００３０】
一方、スポットＳＰ４において原稿があったことが検知されない場合（ステップＳ１２：ＮＯ）、ステップＳ２４では、画像形成装置は、図６に示したＬＥＤ光源アレイ２のブロックＢＬ１〜ＢＬ７のうち、ブロックＢＬ７を点灯させ、ステップＳ２５では、キャリッジを動作させてホームポジションへ向かって移動させて原稿に表される画像を読み取りながら、ステップＳ２６では、スポットＳＰ３における原稿の有無を検知する。スポットＳＰ３において原稿があったことが検知された場合（ステップＳ２６：ＹＥＳ）、ステップＳ２７では、画像形成装置は、図１１に示される組み合わせにより、原稿サイズはＡ４横であると判定して、図１２のステップＳ８Ａに進む。スポットＳＰ３において原稿があったことが検知されない場合（ステップＳ２６：ＮＯ）、ステップＳ２８では、画像形成装置は、ブロックＢＬ６を点灯させると共に、ブロックＢＬ７を消灯させ、ステップＳ２９では、スポットＳＰ２における原稿の有無を検知する。
【００３１】
スポットＳＰ２において原稿があったことが検知された場合（ステップＳ２９：ＹＥＳ）、ステップＳ３０では、画像形成装置は、図１１に示される組み合わせにより、原稿サイズはＢ５横であると判定して、図１２のステップＳ８Ａに進む。スポットＳＰ２において原稿があったことが検知されない場合（ステップＳ２９：ＮＯ）、ステップＳ３１では、画像形成装置は、ブロックＢＬ５を点灯させると共に、ブロックＢＬ６を消灯させ、ステップＳ３２では、スポットＳＰ１における原稿の有無を検知する。スポットＳＰ１において原稿があったことが検知された場合（ステップＳ３２：ＹＥＳ）、ステップＳ３３では、画像形成装置は、図１１に示される組み合わせにより、原稿サイズはＡ５横であると判定して、図１２のステップＳ８Ａに進む。スポットＳＰ１において原稿があったことが検知されない場合（ステップＳ３２：ＮＯ）、ステップＳ３４では、画像形成装置は、図１１に示される組み合わせにより、原稿サイズはＡ５縦であると判定して、図１２のステップＳ８Ａに進む。
【００３２】
近年、発光ダイオード（ＬＥＤ）の高輝度化が進み、ＬＥＤ素子をライン状に並べてＬＥＤ光源アレイとし、原稿読取装置において原稿の長尺への照明として利用できるレベルになってきた。このため、本実施の形態においては、原稿読取装置に設けられた原稿を照明するためのＬＥＤ光源アレイ２と、原稿の画像を読み取るための受光素子（ラインセンサ）とを利用して、主走査方向の原稿の有無を検知し、一方、副走査方向の原稿の有無については反射型センサを利用して検知して、ＬＥＤ光源アレイの点灯を制御する。具体的には、主走査方向の原稿の有無の検知に際し、まず、ＬＥＤ光源アレイ２のブロックＢＬ７を点灯させて、スポットＳＰ３における原稿の有無を検知して、スポットＳＰ３において原稿があったことを検知した場合、原稿サイズを判定することができるため、ブロックＢＬ５，６を点灯させる必要がない。ブロックＢＬ６は、スポットＳＰ３において原稿があったことが検知されない場合に点灯させる。そしてブロックＢＬ６の点灯により、スポットＳＰ２における原稿の有無を検知して、ＳＰ２において原稿があったことを検知した場合、原稿サイズを判定することができるため、ブロックＢＬ５を点灯させる必要がない。ブロックＢＬ５は、スポットＳＰ２において原稿があったことが検知されない場合に点灯させる。そしてブロックＢＬ５の点灯により、スポットＳＰ１における原稿の有無を検知する。このようにして画像形成装置は、原稿基準から離れたスポットを優先して、スポットＳＰ３，ＳＰ２，ＳＰ１の順に対応させて、ＬＥＤ光源アレイ２のブロックＢＬ７，ＢＬ６，ＢＬ５の順にブロック毎に点灯させると共に、点灯の対象ではないブロックを消灯させて、原稿サイズを判定する。このような構成によれば、種々の大きさの原稿サイズを高分解能且つ高精度に判定する際に、ＬＥＤ光源アレイをブロック毎に低光量で点灯させ、点灯の必要のないブロックを消灯させることができ、ＬＥＤ光源アレイの点灯を最低限にして、消費電力を低減することができると共に、ＬＥＤ光源アレイの点灯時の使用者のまぶしさを効果的に軽減可能である。このため、原稿の読み取りに支障をきたすことなく、消費電力を低減可能であると共に、ユーザの利便性を向上させることができる。
【００３３】
また、従来では、図４に示されるような反射型センサを用いて原稿の有無を検知する場合、スポットＳＰ１〜ＳＰ４のそれぞれに反射型センサを設置していた。図１４は、各スポットＳＰ１〜ＳＰ４に反射型センサ５１０，５２０，５３０，５４０が設置される例を示す図である。主走査方向の原稿の有無は、反射型センサ５１０，５２０で検知する。副走査方向の原稿の有無は、反射型センサ５３０，５４０で検知する。これらの反射型センサ５１０，５２０，５３０，５４０が原稿の有無を検知するタイミングは、圧板の開閉角度がθ（例えば30度）以下になったときである。図１５は、圧板５５０と原稿台２１００と圧板開閉検知センサ５７０と原稿サイズ判定センサとなる反射型センサ５１０，５２０，５４０との関係を例示する図である。圧板５５０はヒンジ５８０を支点として開閉し、圧板５５０にはフィラー５６０が接続される。このフィラー５６０が圧板開閉検知センサ５７０を遮断しているか否かにより、圧板５５０の開閉状態を圧板開閉検知センサ５７０は検知する。そして、原稿台２１００の左側端部及び奥側端部の原稿基準に合せて置いた原稿に対して、反射型センサ５１０，５２０，５４０の各発光素子から光を照射し、原稿面からの反射光の有無を各受光素子で検知して、その反射光の有無の組み合せで、図１６に示されるように原稿サイズを判定する。このような構成においては、設置する反射型センサの数が多くコストがかかると共に、不定型の原稿サイズや設定位置を判定することが難しかった。しかし本実施の形態においては、上述したように、副走査方向の原稿の有無の検知に反射型センサを用い、主走査方向の原稿の有無の検知には原稿を照明するためのＬＥＤ光源アレイ２を用いる。このため、原稿の有無を検知するために設置する反射型センサの数を減らすことができ、コストを削減可能である。
【００３４】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００３５】
＜変形例１＞
上述した第１の実施の形態において、画像形成装置で実行される各種プログラムを、インターネット等のネットワークに接続されたコンピュータ上に格納し、ネットワーク経由でダウンロードさせることにより提供するように構成しても良い。また当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録してコンピュータプログラムプロダクトとして提供するように構成しても良い。
【００３６】
＜変形例２＞
上述の実施の形態では、原稿サイズを検知するタイミングは、ＡＤＦ３００などの圧版が開状態から閉状態になるときであるとしたが、これに限らず、画像形成装置が例えば複写機である場合には、コピーを指示する操作入力が操作パネル２３を介してあったときであるとしても良い。
【００３７】
＜変形例３＞
上述の実施の形態においては、原稿基準から離れているスポットの順、即ち、スポットＳＰ３，ＳＰ２，ＳＰ１の順を検知の順番とし、ＬＥＤ光源アレイ２のブロックもこれに対応させてブロックＢＬ７,ＢＬ６,ＢＬ５の順を点灯の順番としたが、これに限らない。例えば、読み取る対象の原稿の原稿サイズがある程度固定的である場合、一番使用する原稿サイズを優先することにより、ＬＥＤ光源アレイ２のブロックの点灯を減らすことができる。この場合、例えば、優先する原稿サイズをユーザが操作パネル２３を介して指定するようにし、画像形成装置は、操作パネル２３を介して当該操作入力を受け付けて、当該原稿サイズを取得するようにしても良いし、優先する原稿サイズをパーソナルコンピュータにおいてユーザが設定しその情報を画像形成装置は通信部２４を介して取得するようにして良い。
【００３８】
又は、画像形成装置は、判定した原稿サイズの履歴をコントローラ２５の記憶部に記憶しておき、判定した頻度が高い原稿サイズを、優先する原稿サイズとして設定するようにしても良い。そして、設定した原稿サイズを優先的に判定できるように、スポットＳＰ４における副走査方向の原稿の有無の検知との組み合わせに応じて、ＬＥＤ光源アレイ２のブロックの点灯の順番を設定するようにすれば良い。このような構成によれば、ユーザの使用に合わせて、ＬＥＤ光源アレイ２の点灯を効率的に制御することができる。
【００３９】
又は、画像形成装置が複写機であり、原稿を等倍でコピーする場合には、大容量給紙ユニット４００にスタックされる転写紙の原稿サイズに応じて、コントローラ２５は、ＬＥＤ光源アレイ２のブロックのうち点灯対象のブロックを自動的に設定するようにしても良い。例えば、大容量給紙ユニット４００にＡ３サイズの転写紙がスタックされていない場合はスポットＳＰ３の検知は必要ないため、コントローラ２５は、ブロックＢＬ７を点灯対象から外すように設定する。
【００４０】
また、ＬＥＤ光源アレイ２のブロックのうち点灯対象のブロックを予め設定する場合、原稿サイズの検知に用いる点灯対象のブロックに応じて、コントローラ２５を介して、原稿の有無を検知する際の検知位置となるスポットを変更したり、もしくはスキャナモータ制御部２１を介して原稿サイズの検知時の第１キャリッジ６及び第２キャリッジ７の移動速度を切り替えたりするようにしても良い。例えば、ブロックＢＬ７が点灯対象ではない場合には、スポットＳＰ３の検知は必要ないため、スポットＳＰ３を検知対象から外して、スポットＳＰ２，ＳＰ１においてのみ原稿の有無を検知するようにする。このとき、その分検知位置を原稿基準（ホームポジション）側になるように変更したり、あるいは第１キャリッジ６及び第２キャリッジ７の移動速度を速めたりする。このような構成によれば、例えば、スポットＳＰ３における検知には時間を要さず、スポットＳＰ２又はＳＰ１における検知にのみ時間を要することになり、原稿の有無の検知から原稿のスキャンまでの処理時間を短縮することも可能となる。
【００４１】
＜変形例４＞
上述の実施の形態においては、ＬＥＤ光源アレイ２のブロックＢＬ７，ＢＬ６，ＢＬ５を１つずつ点灯させるように構成したが、これに限らず、２つのブロックを一度に点灯させて、点灯サイクルを短くするようにしても良い。本変形例にかかる画像形成装置の行う原稿サイズ判定処理の手順自体は図１２と同様である。本変形例においては、ステップＳ６〜Ｓ８でＬＥＤ光源アレイ２を点灯させて原稿サイズを判定する処理が上述の第１の実施の形態と異なる。図１７は、本変形例におけるステップＳ６〜Ｓ８でＬＥＤ光源アレイ２を点灯させて原稿サイズを判定する処理の手順を示すフローチャートである。ステップＳ１２は上述の第１の実施の形態と同様である。スポットＳＰ４において原稿があったことが検知された場合（ステップＳ１２：ＹＥＳ）、ステップＳ３６では、画像形成装置は、ＬＥＤ光源アレイ２のブロックＢＬ１〜ＢＬ７のうち、ブロックＢＬ６〜ＢＬ７を点灯させる。ステップＳ１４〜Ｓ１６は上述の第１の実施の形態と同様である。スポットＳＰ３において原稿があったことが検知されない場合（ステップＳ１５：ＮＯ）、本実施の形態においてはステップＳ１８に進む。ステップＳ１８〜Ｓ２３は上述の第１の実施の形態と同様である。一方、スポットＳＰ４において原稿があったことが検知されない場合（ステップＳ１２：ＮＯ）、ステップＳ３７では、画像形成装置は、ブロックＢＬ６〜ＢＬ７を点灯させる。ステップＳ２５〜Ｓ２７は上述の第１の実施の形態と同様である。スポットＳＰ３において原稿があったことが検知されない場合（ステップＳ２６：ＮＯ）、本実施の形態においてはステップＳ２９に進む。Ｓ２９〜Ｓ３４は上述の第１の実施の形態と同様である。
【００４２】
以上のような構成によっても、種々の大きさの原稿サイズを高分解能且つ高精度に判定することができると共に、コストを削減可能且つ消費電力を低減可能であり、ユーザの利便性を向上させることができる。
【００４３】
＜変形例５＞
上述の実施の形態及び変形例においては、スポットＳＰ４での原稿の有無によって、動作に実質的な違いはなかったが、動作が異なるように構成しても良い。図１８は、本変形例にかかるステップＳ６〜Ｓ８でＬＥＤ光源アレイ２を点灯させて原稿サイズを判定する処理の手順を示すフローチャートである。ステップＳ１２は上述の第１の実施の形態と同様である。スポットＳＰ４において原稿があったことが検知された場合（ステップＳ１２：ＹＥＳ）、画像形成装置は、上述の第１の実施の形態と同様にしてステップＳ１３〜Ｓ１６の処理を行う。スポットＳＰ３において原稿があったことが検知されなかった場合（ステップＳ１５：ＮＯ）ステップＳ４０では、画像形成装置は、ＬＥＤ光源アレイ２のブロックＢＬ１〜ＢＬ７のうち、ブロックＢＬ５〜ＢＬ６を点灯させ、ブロックＢＬ７を消灯させて、ステップＳ１８に進む。そして、スポットＳＰ２において原稿があったことが検知された場合（ステップＳ１８：ＹＥＳ）、ステップＳ１９に進む。スポットＳＰ２において原稿があったことが検知されなかった場合（ステップＳ１８：ＮＯ）、ステップＳ２１に進む。ステップＳ２２〜Ｓ２３は上述の第１の実施の形態と同様である。一方、スポットＳＰ４において原稿があったことが検知されない場合（ステップＳ１２：ＮＯ）、ステップＳ４１では、画像形成装置は、ブロックＢＬ６〜ＢＬ７を点灯させる。ステップＳ２５〜Ｓ２７，Ｓ２９〜Ｓ３４は上述の第１の実施の形態と同様である。
【００４４】
以上のような構成によっても、種々の大きさの原稿サイズを高分解能且つ高精度に判定することができると共に、コストを削減可能且つ消費電力を低減可能であり、ユーザの利便性を向上させることができる。
【００４５】
＜変形例６＞
上述の実施の形態においては、原稿読取装置として原稿読取ユニットを、イメージスキャナや、複写機、ファクシミリ、印刷装置等の画像形成装置に適用する例について説明したが、これに限らず、例えば、コピー機能、スキャナ機能およびファクシミリ機能のうち少なくとも１つの機能とプリンタ機能とを有する複合機や、コピー機能、スキャナ機能およびファクシミリ機能のうち少なくとも２つの機能を有する複合機に適用しても良い。
【符号の説明】
【００４６】
２  ＬＥＤ光源アレイ
３  第１反射ミラー
４  第２反射ミラー
５  第３反射ミラー
６  第１キャリッジ
７  第２キャリッジ
８  レンズユニット
１０  センサボードユニット
１１  白基準板
１２  スキャナ本体
２０  ＬＥＤドライバ
２１  スキャナモータ制御部
２２  画像処理部
２３  操作パネル
２４  通信部
２５  コントローラ
２６  パルスカウンタ
２７  メモリ
２８  ゲイン設定部
５４  原稿サイズ判定センサ
５６  フィラー
５７  圧板開閉検知センサ
５８  ヒンジ
１００  本体
１１０ 画像書き込み部
１２０  作像部
１２１  感光体ドラム
１２２  現像ユニット
１２３  転写ユニット
１２４  クリーニングユニット
１３０  定着部
１４０  両面搬送部
１４１  第１の切換爪
１４２  反転搬送路
１４３  画像形成側搬送路
１４４  後処理側搬送路
１４５  第２の切換爪
１５０  給紙部
１６０  垂直搬送部
１６１  レジストローラ
１７０  手差し部
１７１  手差しトレイ
２００  原稿読取ユニット
２１０  原稿台
４００  大容量給紙ユニット
４０１  ピックアップローラ
４０２  底板
５００  用紙後処理ユニット
５０１  パンチ
５０２  ステイプルトレイ
５０３  ステイプラ
５０４  シフトトレイ
５０５  プルーフトレイ
５０６  下搬送路
５０７  プレスタック搬送路
【先行技術文献】
【特許文献】
【００４７】
【特許文献１】特開平２−２０７２３７号公報
【特許文献２】特開２００２−２７１５８３号公報
【図１】
2010226690.tif 000003
【図２】
2010226690.tif 000004
【図３】
2010226690.tif 000005
【図４】
2010226690.tif 000006
【図５】
2010226690.tif 000007
【図６】
2010226690.tif 000008
【図７】
2010226690.tif 000009
【図８】
2010226690.tif 000010
【図９】
2010226690.tif 000011
【図１０】
2010226690.tif 000012
【図１１】
2010226690.tif 000013
【図１２】
2010226690.tif 000014
【図１３】
2010226690.tif 000015
【図１４】
2010226690.tif 000016
【図１５】
2010226690.tif 000017
【図１６】
2010226690.tif 000018
【図１７】
2010226690.tif 000019
【図１８】
2010226690.tif 000020